(57)【要約】【課題】  デジタルカメラやビデオカメラ、または画像再生装置などで、撮像した画像を拡大再生およびトリミング印刷する場合において、撮影者の意図した重要な被写体の拡大再生、およびトリミング印刷を素早く、より少ない手順で容易に行えるようにすることを課題とする。【解決手段】  画像を撮像する撮像手段と、撮像された画像および撮影補助線を合成して表示する表示手段と、撮影補助線情報に基づいた被写体の位置情報と撮像された画像とを関連付けて記録する記録手段とを有する撮像装置が提供される。そして、被写体の位置情報に基づいて、画像データの拡大位置を決定して拡大表示する。【選択図】        図１１
2006148584.tif 000002
【特許請求の範囲】
【請求項１】
画像を撮像する撮像手段と、
前記撮像された画像および撮影補助線を合成して表示する表示手段と、
前記撮影補助線情報に基づいた被写体の位置情報と前記撮像された画像とを関連付けて記録する記録手段と
を有することを特徴とする撮像装置。
【請求項２】
さらに、撮影補助線を選択するための撮影補助線選択手段を有し、
前記表示手段は、前記選択された撮影補助線を合成して表示することを特徴とする請求項１記載の撮像装置。
【請求項３】
前記表示手段は、記録媒体から撮影補助線を読み出して合成して表示し、
前記記録手段は、前記記録媒体に被写体の位置情報と前記撮像された画像とを関連付けて記録することを特徴とする請求項１又は２記載の撮像装置。
【請求項４】
前記被写体の位置情報は、前記撮影補助線の交差点の位置情報であることを特徴とする請求項１〜３のいずれか１項に記載の撮像装置。
【請求項５】
画像データと被写体の位置情報とを関連付けて記憶する記憶手段と、
前記被写体の位置情報に基づいて、前記画像データの拡大位置を決定して拡大表示する表示手段と
を有することを特徴とする画像処理装置。
【請求項６】
画像データと被写体の位置情報とを関連付けて記憶する記憶手段と、
前記被写体の位置情報に基づいて、前記画像データの拡大サイズを決定して拡大表示する表示手段と
を有することを特徴とする画像処理装置。
【請求項７】
画像データと被写体の位置情報とを関連付けて記憶する記憶手段と、
前記被写体の位置情報に基づいて、前記画像データのトリミング位置を決定してトリミングするトリミング手段と
を有することを特徴とする画像処理装置。
【請求項８】
画像データと被写体の位置情報とを関連付けて記憶する記憶手段と、
前記被写体の位置情報に基づいて、前記画像データのトリミングサイズを決定してトリミングするトリミング手段と
を有することを特徴とする画像処理装置。
【請求項９】
画像を撮像する撮像ステップと、
前記撮像された画像および撮影補助線を合成して表示する表示ステップと、
前記撮影補助線情報に基づいた被写体の位置情報と前記撮像された画像とを関連付けて記録する記録ステップと
を有することを特徴とする撮像方法。
【請求項１０】
画像データと関連付けて記憶されている被写体の位置情報に基づいて、前記画像データの拡大位置を決定する決定ステップと、
前記決定された拡大位置で前記画像データを拡大表示する表示ステップと
を有することを特徴とする画像処理方法。
【請求項１１】
画像データと関連付けて記憶されている被写体の位置情報に基づいて、前記画像データの拡大サイズを決定する決定ステップと、
前記決定された拡大サイズで前記画像データを拡大表示する表示ステップと
を有することを特徴とする画像処理方法。
【請求項１２】
画像データと関連付けて記憶されている被写体の位置情報に基づいて、前記画像データのトリミング位置を決定する決定ステップと、
前記決定されたトリミング位置で前記画像データをトリミングするトリミングステップと
を有することを特徴とする画像処理方法。
【請求項１３】
画像データと関連付けて記憶されている被写体の位置情報に基づいて、前記画像データのトリミングサイズを決定する決定ステップと、
前記決定されたトリミングサイズで前記画像データをトリミングするトリミングステップと
を有することを特徴とする画像処理方法。
【発明の詳細な説明】
【技術分野】
【０００１】
本発明は、撮像装置、画像処理装置、撮像方法および画像処理方法に関する。
【背景技術】
【０００２】
カメラの撮影においては、カメラのファインダーや表示装置に撮影補助線を表示することで、構図の決定を容易に行うことができる。従来のフィルムカメラにおいてはこの撮影補助線をフォーカシングスクリーン上で光学的に写しこむことでこの機能を実現していた。しかし、撮影補助線を交換するのに多くの手間がかかり、撮影対象に応じて容易に交換できるものではなかったが、近年のデジタルカメラやビデオカメラにおいては、本体に液晶表示装置などを備え、表示装置上に容易に撮像中の画像と撮影補助線を合成して表示することができるため、撮影補助線を表示する機能は多くの製品で採用されている。
【０００３】
また、デジタルカメラやデジタルビデオカメラなどでは電子的に画像を記録、再生できるため、カメラ本体のみで撮像された画像の表示や、プリンターへの出力が容易となった。また、撮像装置の高画素化が進み、拡大しての再生やトリミングしての印刷が現実的となっている。また、これらの拡大再生、トリミング印刷機能は現在では多くのデジタルカメラやビデオカメラなどに搭載されている（特許文献１参照）。
【０００４】
また、画像の電子記録に伴い、画像情報だけでなく、撮影時の情報、たとえば撮影日時や露出情報、焦点距離情報などを画像ファイルに埋め込んで同時に記録することが可能となっている。このような規格として、EXIFが日本電子工業振興協会によって制定されている。
【０００５】
【特許文献１】特開2000-132151号公報
【発明の開示】
【発明が解決しようとする課題】
【０００６】
デジタルカメラやビデオカメラ、または画像再生装置などで、撮像した画像を部分的に拡大して再生したり、トリミングして印刷する場合において、表示装置上に再生画像を表示し、ユーザーの意図する位置や大きさにキー操作などで合わせる作業を行う必要がある。この作業は、デジタルカメラなどに搭載された少ないスイッチで行わなければならないため、記録された画像の大きさが大きいほど、拡大、トリミングの位置や大きさをユーザーの意図する被写体に合わせるのに非常に多くの手順と時間がかかり、困難なものとなっている。
【０００７】
本発明の目的は、デジタルカメラやビデオカメラ、または画像再生装置などで、撮像した画像を拡大再生およびトリミング印刷する場合において、撮影者の意図した重要な被写体の拡大再生、およびトリミング印刷を素早く、より少ない手順で容易に行えるようにすることである。
【課題を解決するための手段】
【０００８】
本発明の撮像装置は、画像を撮像する撮像手段と、前記撮像された画像および撮影補助線を合成して表示する表示手段と、前記撮影補助線情報に基づいた被写体の位置情報と前記撮像された画像とを関連付けて記録する記録手段とを有することを特徴とする。
また、本発明の画像処理装置は、画像データと被写体の位置情報とを関連付けて記憶する記憶手段と、前記被写体の位置情報に基づいて、前記画像データの拡大位置を決定して拡大表示する表示手段とを有することを特徴とする。
また、本発明の画像処理装置は、画像データと被写体の位置情報とを関連付けて記憶する記憶手段と、前記被写体の位置情報に基づいて、前記画像データの拡大サイズを決定して拡大表示する表示手段とを有することを特徴とする。
また、本発明の画像処理装置は、画像データと被写体の位置情報とを関連付けて記憶する記憶手段と、前記被写体の位置情報に基づいて、前記画像データのトリミング位置を決定してトリミングするトリミング手段とを有することを特徴とする。
また、本発明の画像処理装置は、画像データと被写体の位置情報とを関連付けて記憶する記憶手段と、前記被写体の位置情報に基づいて、前記画像データのトリミングサイズを決定してトリミングするトリミング手段とを有することを特徴とする。
また、本発明の撮像方法は、画像を撮像する撮像ステップと、前記撮像された画像および撮影補助線を合成して表示する表示ステップと、前記撮影補助線情報に基づいた被写体の位置情報と前記撮像された画像とを関連付けて記録する記録ステップとを有することを特徴とする。
また、本発明の画像処理方法は、画像データと関連付けて記憶されている被写体の位置情報に基づいて、前記画像データの拡大位置を決定する決定ステップと、前記決定された拡大位置で前記画像データを拡大表示する表示ステップとを有することを特徴とする。
また、本発明の画像処理方法は、画像データと関連付けて記憶されている被写体の位置情報に基づいて、前記画像データの拡大サイズを決定する決定ステップと、前記決定された拡大サイズで前記画像データを拡大表示する表示ステップとを有することを特徴とする。
また、本発明の画像処理方法は、画像データと関連付けて記憶されている被写体の位置情報に基づいて、前記画像データのトリミング位置を決定する決定ステップと、前記決定されたトリミング位置で前記画像データをトリミングするトリミングステップとを有することを特徴とする。
また、本発明の画像処理方法は、画像データと関連付けて記憶されている被写体の位置情報に基づいて、前記画像データのトリミングサイズを決定する決定ステップと、前記決定されたトリミングサイズで前記画像データをトリミングするトリミングステップとを有することを特徴とする。
【発明の効果】
【０００９】
画像の記録時に記録される被写体の位置情報は、撮影者が構図の決定にあたって使用した撮影補助線に基づいたものであり、撮影者の意図した、重要な被写体の位置情報を含んでいる。この被写体の位置情報を画像と関連付けて記録する。被写体の位置情報を基に、再生時の拡大表示・トリミング印刷の位置やサイズの決定を行うことにより、撮影者の意図した重要な被写体の拡大再生およびトリミング印刷を素早く、より少ない手順で容易に行うことが可能となる。
【発明を実施するための最良の形態】
【００１０】
（第1の実施形態）
図1は、本発明の第1の実施形態による撮像装置の構成例を示す。撮像回路101は、全体制御回路105からの制御信号を基に、露出、フォーカスなどを制御し、被写体の画像を撮像（撮影）し出力する撮像回路である。画像処理回路102は、全体制御回路105からの撮影補助線データから撮影補助線画像を生成し、また、撮像回路101からの出力画像とを合成し、表示制御回路109に合成画像を出力する。また、画像処理回路102は、撮像回路101からの映像を基に、露出、フォーカス制御などをするための情報を生成し、全体制御回路105へ出力する。全体制御回路105は撮像回路101および画像処理回路102、記録制御回路103に対しレリーズスイッチ108の入力に基づいて撮影および記録のタイミングを指示する回路である。また、全体制御回路105は、内部記憶回路106から読み込んだ撮影補助線データから、被写体位置データを生成し、記録制御回路103に出力する。また、全体制御回路105は、画像処理回路102からの露出、フォーカス情報を基に、それぞれの制御データを生成し、撮像回路101に出力する。
【００１１】
記録制御回路103は、画像処理回路102からの映像信号および全体制御回路105からの被写体位置データを記録媒体104に記録する記録制御回路である。記録媒体104は画像データおよび被写体位置データを記録する記録媒体で、メモリーカードなどが使用される。表示制御回路109は、画像処理回路102からの画像出力を表示パネル110および、外部映像出力回路111に出力する表示制御回路である。表示パネル110は、表示制御回路109からの映像出力を表示する表示装置であり、液晶パネルなどが使用される。外部映像出力回路111は、表示制御回路109からの映像出力をコンポジットビデオ規格などのビデオ出力に変換して出力する外部映像出力回路である。
【００１２】
レリーズスイッチ108は、全体制御回路105に対し、撮影のタイミングを指示するスイッチである。内部記憶回路106は、後述する図2の複数の撮影補助線データ201〜203を格納し、全体制御回路105からの指示により、撮影補助線データ201〜203のいずれかを出力する回路である。撮影補助線選択スイッチ107はユーザーからの撮影補助線データ201〜203の選択を全体制御回路105に指示するスイッチである。
【００１３】
図2は、内部記憶回路106のより詳細な構成図である。内部ＲＯＭテーブル204は撮影補助線データ201〜203を格納する。撮影補助線データ201〜203は、撮影補助線画像を生成するためのデータであり、スイッチ205とそれぞれ接続されている。ここで、本実施形態では、画面の分割数を撮影補助線データの1例としている。つまり、撮影補助線データ201の内容である<X:2 Y:2> は、画像を上下と左右に2分割する撮影補助線を生成することを意味する。同様に、撮影補助線データ202の<X:3 Y:3>は上下と左右に3分割、撮影補助線データ203の<X:4 Y:3>は左右に4分割、上下に3分割する撮影補助線を意味する。そして、撮影補助線データ201〜203によって生成される撮影補助線画像301〜303を図3に示す。ＲＯＭテーブルスイッチ205は、全体制御回路105からの撮影補助線選択情報により接点a〜nに切り替え、撮影補助線データ201〜203のいずれかを選択して全体制御回路105へ出力する。
【００１４】
次に、図1〜図5を参照しながら、図6のフローチャートに従って説明する。動作を開始すると（F101）、撮影補助線選択スイッチ107は、ユーザーからの入力の検出を行う（F102）。検出されると、全体制御回路105は内部記憶回路106内のＲＯＭテーブルスイッチ205を接点a〜ｎのいずれかに切り替える（F103）。具体的には、撮影補助線選択スイッチ107が検出される毎に、ＲＯＭテーブルスイッチ205は接点a〜ｎに順次切り替わる。ここで、たとえばＲＯＭテーブルスイッチ205が接点bに接続されるとすると、撮影補助線データ202を全体制御回路105に読み込み、画像処理回路102に設定する（F104）。画像処理回路102は読み込まれた撮影補助線データ202から撮影補助線画像302を生成し、撮像回路101からの映像信号と生成した撮影補助線画像302を合成し、表示制御回路109を介して表示パネル110および外部映像出力回路111に出力し、表示する（F105）。
【００１５】
全体制御回路105は撮影補助線データ202から、被写体位置データを生成し、記録制御回路103に被写体位置データを出力する（F106）。本実施形態では、撮影補助線の交差点の座標を被写体位置として生成する。図3に、記録する画像サイズの大きさが 1600 × 1200 画素（pixel）であった場合に生成される被写体位置と被写体位置データを示す。ここで、選択されている撮影補助線データがX:3 Y:3とすると、交差点は画像を縦横に3等分した位置となるため、被写体位置データは(533,400) (1066,400) (533,800) (1066,800)の4つとなる。
【００１６】
続いて、レリーズスイッチ108の入力を検出すると（F107）、全体制御回路105はレリーズ信号を撮像回路101および記録制御回路103に送り、記録制御回路103は、被写体位置データと撮像回路101からの画像を図4の画像ファイル401として記録媒体104に記録し（F108）、一連の動作を終了する（F109）。ここで、本実施形態においては、記録制御回路103は、被写体位置データおよび撮像画像を、ＥＸＩFデータとして図4の画像ファイル401の様に記録したが、図5に示すように、別々のファイルとして記録媒体104に記録しても良い。このとき、ファイル名を同じにし、ファイルの拡張子を、被写体位置データファイル501であれば「.DAT」を、画像ファイル502で有れば「.IMG」などとして記録することで、再生時に関連付けできるように記録する。
【００１７】
以上のような構成および動作をすることで、記録画像および被写体位置データを記録する。
【００１８】
本実施形態によれば、画像を撮像する手段および撮像画像を記録媒体へ記録する記録手段、撮像画像の表示手段、表示手段上に撮像する画像および撮影補助線を合成して表示手段に表示する手段を有する撮像装置において、撮影補助線情報に基づいた被写体の位置情報を生成し、撮影された画像、および被写体の位置情報を関連づけて記録媒体へ記録することを特徴とする。また、複数の撮影補助線を選択するための撮影補助線選択手段を有することを特徴とする。
【００１９】
（第2の実施形態）
本発明の第2の実施形態について説明する。第2の実施形態の構成は図1と同じであり、図8を使用して、図7のフローチャートに沿って説明する。
【００２０】
動作を開始すると（F201）、撮影補助線選択スイッチ107は、ユーザーからの入力の検出を行う（F202）。検出されると、記録制御回路103は記録媒体104中の図8の撮影補助線データ803〜805の有無を識別する（F203）。ここで、識別するにあたり、記録媒体104のディレクトリ構成を図8の様にしておく。ディレクトリ801は記録媒体104のルートディレクトリを示す。ディレクトリ802は撮影補助線データを格納しておくディレクトリであり、名前をFRAMEとしておく。この中に、撮影補助線データ803〜805を格納し、ファイルの拡張子として「.FRM」とする。また、ディレクトリ806は記録する画像ファイルを格納するディレクトリであり、名前をIMAGEとし、この中に画像ファイル807、808を拡張子「.IMG」として記録する。このように、撮影補助線データを画像ファイルとは別のFRAMEディレクトリとし、また、拡張子として「.FRM」などとしておき、撮影補助線データとして識別する。
【００２１】
撮影補助線データがあると識別されると、撮影補助線選択スイッチ107が検出される毎に、記録制御回路103は撮影補助線データを順次選択して読み込む。ここで撮影補助線データ803が選択されたとして、全体制御回路105に読み込み、画像処理回路102に出力する（F204）。画像処理回路102は読み込まれた撮影補助線データ803から撮影補助線画像301を生成し、撮像回路101からの映像信号と生成した撮影補助線画像301を合成し、表示制御回路109を介して表示パネル110および外部映像出力回路111に出力し、表示する（F205）。
【００２２】
全体制御回路105は撮影補助線データ803から、第1の実施形態と同様に被写体位置データを生成し、記録制御回路103に被写体位置データを出力する（F206）。続いて、レリーズスイッチ108の入力を検出すると（F207）、全体制御回路105はレリーズ信号を撮像回路101および記録制御回路103に送り、記録制御回路103は、被写体位置データと撮像回路101からの画像を記録媒体104に記録し（F208）、一連の動作を終了する（F209）。なお、ステップF203において撮影補助線データがないときは、ステップF204〜F206を行わずに、ステップF207へ進む。
【００２３】
以上のような構成および動作をすることで、記録画像および被写体位置データを記録する。
【００２４】
本実施形態によれば、第1の実施形態と異なり、撮影補助線情報は記録媒体から読み出すことを特徴とする。
【００２５】
（第3の実施形態）
図9は、本発明の第3の実施形態による画像処理装置の構成例を示す。画像処理回路901は、記録再生制御回路902を介して記録媒体903中の画像ファイルを読み込み、表示制御回路905に画像を出力する。また、画像処理回路901は、全体制御回路904からの指示をうけて、読み込んだ画像の拡大・トリミングを行い、表示制御回路905に出力する。また、画像処理回路901は、画像をプリンター接続制御回路914に出力する。全体制御回路904は、記録再生制御回路902を介して記録媒体903から読み込んだファイルから、被写体位置データを読み込む。また、全体制御回路904は、画像の拡大・トリミングする位置やサイズを、画像処理回路901に出力する。
【００２６】
記録再生制御回路902は、記録媒体903のファイルの読み込み・記録を行い、画像処理回路901および全体制御回路904への入出力を行う記録制御回路である。記録媒体903は画像データを記録する記録媒体で、メモリーカードなどが使用される。表示制御回路905は画像処理回路901からの映像出力を表示パネル906および、外部映像出力回路907に出力する表示制御回路である。表示パネル906は、表示制御回路905からの映像出力を表示する表示装置であり、液晶パネルなどが使用される。外部映像出力回路907は表示制御回路905からの映像出力をコンポジットビデオ規格などのビデオ出力に変換して出力する外部映像出力回路である。
【００２７】
拡大・トリミング切り替えスイッチ908は、通常再生と拡大・トリミングの切り替えを全体制御回路904に指示するスイッチである。被写体位置選択スイッチ909は、拡大・トリミング時の被写体位置の選択を全体制御回路904に指示するスイッチである。サイズ入力スイッチ910は、拡大・トリミング時のサイズを全体制御回路904に指示するスイッチである。位置微調整入力スイッチ911は、拡大・トリミング時の細かな上下左右の位置を全体制御回路904に指示するスイッチである。保存スイッチ912は、全体制御回路904に対し、表示されている画像の保存を指示するスイッチである。印刷スイッチ913は、全体制御回路904に対し、印刷を指示するスイッチである。
【００２８】
次に、図9の構成図および図11〜図14を参照しながら、図10のフローチャートに従って説明する。
【００２９】
動作を開始すると（F301）、拡大・トリミング切り替えスイッチ908は、ユーザーからの入力の検出を行う（F302）。拡大・トリミング切り替えスイッチ908により通常再生が検出されると、全体制御回路904は拡大再生解除を画像処理回路901に設定し、画像処理回路901は通常の大きさの画像を表示制御回路905に出力し、表示制御回路905は通常の大きさの画像を表示パネル906および外部映像出力回路907に出力する（F303）。拡大・トリミング切り替えスイッチ908により拡大・トリミングが検出されると、全体制御回路904は記録再生制御回路902を介して、記録媒体903内の再生している画像ファイルの被写体位置データを読み込む（F304）。
【００３０】
全体制御回路904は読み込まれた被写体位置データから、拡大・トリミングサイズを生成する（F305）。ここで、撮影時に被写体位置データとして、 (533,400) (1066,400) (533,800) (1066,800)が読み込まれたとすると、これらの位置を中央として拡大・トリミングを行う。また、サイズは、原点と1番目の被写体位置を対角としたサイズ、533 × 400 pixelとする。このときのそれぞれの被写体位置が選択されたときに拡大・トリミングされる範囲を図11の点線で示す。
【００３１】
そして、全体制御回路904は、初期設定として、一番目の被写体位置(533,400)およびサイズ 533 × 400 pixel を、画像処理回路901に設定する（F306）。このときの拡大、トリミングされる位置、サイズを図12の実線で示す。ここで、被写体位置データが多数の場合、一番目ではなく、中央に近い被写体位置データを初期設定としても良い。
【００３２】
次に、被写体位置選択スイッチ909の検出が行われると（F307）、全体制御回路904は一連の被写体位置データの中から、次の被写体位置(1066,400)を選択し、画像処理回路901に設定する（F308）。このとき、被写体位置選択スイッチ909が検出されるごとに、図13に示すように拡大・トリミング位置が1301〜1304の様に変化する。
【００３３】
続いて、サイズ入力スイッチ910の検出が行われると（F309）、全体制御回路904は入力に応じた拡大・トリミングサイズを画像処理回路901に設定する（F310）。画像処理回路901は、この入力により、初期サイズではユーザーの意図を満足しない場合の、サイズの微調整を行う。
【００３４】
続いて、位置微調整入力スイッチ911の検出が行われると（F311）、全体制御回路904は入力に応じた拡大位置を画像処理回路901に設定する（F312）。画像処理回路901は、この入力により、被写体位置がユーザーの意図した位置を満足しない場合の、位置の微調整を行う。
【００３５】
そして、画像処理回路901は設定された位置、サイズに基づいて画像を拡大・トリミングし、表示制御回路905に出力し、表示パネル906に表示、また外部映像出力回路907に出力する（F313）。このときの画像を図14に示す。
【００３６】
ここで、保存スイッチ912が検出されると（F314）、画像処理回路901は記録再生制御回路902に拡大・トリミングされた画像を出力し、記録再生制御回路902はその画像を記録媒体903に記録する（F315）。
【００３７】
また、印刷スイッチ913が検出されると（F316）、画像処理回路901はプリンター接続制御回路914に拡大・トリミングされた画像を出力し、プリンターが接続されていれば印刷を行い（F317）、一連の動作を終了する（F318）。
【００３８】
以上のような構成および動作をすることで、より簡便にユーザーの意図した拡大表示・トリミングを行うことが可能となる。
【００３９】
本実施形態によれば、画像データを記録再生する画像記録再生手段、および表示手段、画像を拡大して表示する拡大表示手段、拡大表示時の位置を設定する手段を有する画像処理装置において、画像データに関連して記録された被写体の位置情報に基づいて、拡大位置を決定することを特徴とする。
【００４０】
また、画像データを記録再生する画像記録再生手段、および表示手段、画像を拡大して表示する拡大表示手段、拡大表示時のサイズ（大きさ）を設定する手段を有する画像処理装置において、画像データに関連して記録された被写体の位置情報に基づいて、拡大するサイズを決定することを特徴とする。
【００４１】
また、画像データを記録再生する画像記録再生手段、および表示手段、画像をトリミングする手段、トリミング時の位置を設定する手段を有する画像処理装置において、画像データに関連して記録された被写体の位置情報に基づいて、トリミング位置を決定することを特徴とする。
【００４２】
また、画像データを記録再生する画像記録再生手段、および表示手段、画像をトリミングする手段、トリミング時のサイズを設定する手段を有する画像処理装置において、画像データに関連して記録された被写体の位置情報に基づいて、トリミングするサイズを決定することを特徴とする。
【００４３】
以上のように、第1〜第3の実施形態によれば、デジタルカメラやビデオカメラ、静止画像又は動画像を再生するための画像再生装置などで、撮像した画像を拡大再生およびトリミング印刷する場合において、撮影時に撮影画像と撮影補助線を合成して表示し、使用した撮影補助線情報に基づいた被写体の位置情報を生成し、撮影された画像、および被写体の位置情報を関連づけて記録媒体へ記録する。そして、画像データに関連して記録された被写体の位置情報に基づいて、拡大再生およびトリミングの位置およびサイズを決定し、拡大再生、トリミング印刷を行う。
【００４４】
画像の記録時に記録される被写体の位置情報は、撮影者が構図の決定にあたって選択、使用した撮影補助線に基づいたものであり、撮影者の意図した、重要な被写体の位置情報を含んでいる。この被写体の位置情報を基に、再生時の拡大表示・トリミング印刷の位置やサイズの決定を行うことで、撮影者の意図した重要な被写体の拡大再生、およびトリミング印刷を素早く、より少ない手順で容易に行うことが可能となる。
【００４５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４６】
【図１】本発明の第1の実施形態の構成図である。
【図２】内部記憶回路の詳細を示す図である。
【図３】撮影補助線画像と生成される被写体位置データを示す図である。
【図４】被写体位置データを含んだ画像ファイルを示す図である。
【図５】被写体位置データファイルおよび画像ファイルを示す図である。
【図６】第1の実施形態のフローチャートである。
【図７】第2の実施形態のフローチャートである。
【図８】記録媒体のディレクトリ構成例を示す図である。
【図９】第3の実施形態の構成図である。
【図１０】第3の実施形態のフローチャートである。
【図１１】各被写体位置データでの拡大・トリミングされる範囲を示す図である。
【図１２】設定された拡大・トリミングされる範囲を示す図である。
【図１３】被写体位置選択入力による拡大・トリミング範囲の変化を示す図である。
【図１４】拡大・トリミングされた画像を示す図である。
【符号の説明】
【００４７】
101  撮像回路
102  画像処理回路
103  記録制御回路
104  記録媒体
105  全体制御回路
106  内部記憶回路
107  撮影補助線選択スイッチ
108  レリーズスイッチ
109  表示制御回路
110  表示パネル
111  外部映像出力回路
201〜203  撮影補助線データ
204  内部ＲＯＭテーブル
205  ＲＯＭテーブルスイッチ
301〜303  撮影補助線画像
304〜305  生成される被写体位置
401  被写体位置データを含んだ画像ファイル
501  被写体位置データファイル
502  画像ファイル
801  ルートディレクトリ
802  撮影補助線データ保存ディレクトリ
803〜805  撮影補助線データファイル
806  画像保存ディレクトリ
807〜808  画像ファイル
901  画像処理回路
902  記録再生制御回路
903  記録媒体
904  全体制御回路
905  表示制御回路
906  表示パネル
907  外部映像出力回路
908  拡大・トリミング切り替えスイッチ
909  被写体位置選択スイッチ
910  サイズ入力スイッチ
911  位置微調整入力スイッチ
912  保存スイッチ
913  印刷スイッチ
914  プリンター接続制御回路
1301〜1304  被写体位置選択入力により拡大・トリミングされる範囲
【図１】
2006148584.tif 000003
【図２】
2006148584.tif 000004
【図３】
2006148584.tif 000005
【図４】
2006148584.tif 000006
【図５】
2006148584.tif 000007
【図６】
2006148584.tif 000008
【図７】
2006148584.tif 000009
【図８】
2006148584.tif 000010
【図９】
2006148584.tif 000011
【図１０】
2006148584.tif 000012
【図１１】
2006148584.tif 000013
【図１２】
2006148584.tif 000014
【図１３】
2006148584.tif 000015
【図１４】
2006148584.tif 000016